(57)【要約】【課題】  携帯電話機のユーザ自身が、受信を拒否する電子メールを特定するための条件をメールサーバに登録するという煩わしい作業を行わなくても、携帯電話機が迷惑メールを受信する頻度を低くすることが可能な電子メールサーバ、電子メール配信システム、電子メール配信方法を提供する。【解決手段】  送受信部６ａは、携帯電話機３のメールアドレスを送信先とする電子メールと、この電子メールの送信元から送信される電話番号とを受信する。制御部６ｃは、送受信部６ａによって受信された電子メールの送信先である携帯電話機３のメールアドレスと送受信部６ｂによって受信された電話番号とが、データベース５において関連づけられている場合にのみ、送受信部６ａによって受信された電子メールを携帯電話機３のメールアドレスに送信する。【選択図】      図２
2005217739.tif 000002
【特許請求の範囲】
【請求項１】
携帯電話機のメールアドレスを送信先とする電子メールを該携帯電話機へ配信する電子メールサーバシステムであって、
前記携帯電話機のメールアドレスと該携帯電話機の電話番号とを関連づけて記録する記録部と、
前記携帯電話機のメールアドレスを送信先とする電子メールおよび該電子メールの送信元から送信される電話番号とを受信する受信部と、
前記電子メールの送信先である携帯電話機のメールアドレスと前記受信部によって受信された電話番号とが、前記記録部において関連づけられている場合にのみ、前記電子メールを前記携帯電話機に送信する電子メール送信部とを含む電子メールサーバシステム。
【請求項２】
請求項１に記載の電子メールサーバシステムにおいて、
前記受信部が前記電子メールとして前記携帯電話機のメールアドレスを送信先としかつ送信元のメールアドレスを含む電子メールを受信した際に、前記受信部によって受信された電子メールから前記送信元のメールアドレスを検出する検出部と、
前記検出部によって検出された送信元のメールアドレスに、前記送信先とされた携帯電話機の電話番号を要求する旨の電話番号要求情報を送信する送信部とをさらに含み、
前記受信部が、前記送信元のメールアドレスから送信される電話番号を受信する、電子メールサーバシステム。
【請求項３】
携帯電話機と、
前記携帯電話機を送信先とした電子メールおよび電話番号を送信する送信者端末と、
請求項１または２に記載の電子メールサーバシステムとを含む、電子メール配信システム。
【請求項４】
携帯電話機のメールアドレスを送信先とする電子メールを該携帯電話機へ配信する電子メールサーバシステムが行う電子メール配信方法であって、
前記携帯電話機のメールアドレスと該携帯電話機の電話番号とを関連づけて記録部に記録する記録ステップと、
前記携帯電話機のメールアドレスを送信先とする電子メールおよび該電子メールの送信元から送信される電話番号とを受信する受信ステップと、
前記受信ステップで受信した電子メールの送信先である携帯電話機のメールアドレスと前記受信ステップで受信した電話番号とが、前記記録部において関連づけられている場合にのみ、前記電子メールを前記携帯電話機に送信する電子メール送信部とを含む電子メール配信方法。
【請求項５】
請求項４に記載の電子メール配信方法において、
前記受信ステップは、前記電子メールとして前記携帯電話機のメールアドレスを送信先としかつ送信元のメールアドレスを含む電子メールを受信する電子メール受信ステップを含み、
前記電子メール受信ステップで受信された電子メールから前記送信元のメールアドレスを検出する検出ステップと、
前記検出ステップで検出された送信元のメールアドレスに、前記送信先とされた携帯電話機の電話番号を要求する旨の電話番号要求情報を送信する送信ステップとをさらに含み、
前記受信ステップは、前記送信元のメールアドレスから送信される電話番号を受信する電話番号受信ステップをさらに含む、電子メール配信方法。
【請求項６】
携帯電話機と、前記携帯電話機を送信先とした電子メールおよび電話番号を送信する送信者端末と、前記電子メールを前記携帯電話機へ配信する電子メールサーバシステムとを含む電子メール配信システムが行う電子メール配信方法であって、
前記電子メール配信システムが請求項４または５に記載の電子メール配信方法を行う、電子メール配信方法。
【請求項７】
携帯電話機のメールアドレスを送信先とする電子メールを該携帯電話機へ配信する配信処理をコンピュータに実行させるプログラムであって、
前記携帯電話機のメールアドレスと該携帯電話機の電話番号とを関連づけて記録部に記録する記録処理と、
前記携帯電話機のメールアドレスを送信先とする電子メールおよび該電子メールの送信元から送信される電話番号とを受信する受信処理と、
前記受信処理で受信した電子メールの送信先である携帯電話機のメールアドレスと前記受信処理で受信した電話番号とが、前記記録部において関連づけられている場合にのみ、前記電子メールを前記携帯電話機に送信する電子メール送信処理とを含む配信処理をコンピュータに実行させるプログラム。
【請求項８】
請求項７に記載のプログラムにおいて、
前記受信処理は、前記電子メールとして前記携帯電話機のメールアドレスを送信先としかつ送信元のメールアドレスを含む電子メールを受信する電子メール受信処理を含み、
前記電子メール受信処理で受信された電子メールから前記送信元のメールアドレスを検出する検出処理と、
前記検出処理で検出された送信元のメールアドレスに、前記送信先とされた携帯電話機の電話番号を要求する旨の電話番号要求情報を送信する送信処理とをさらに含み、
前記受信処理は、前記送信元のメールアドレスから送信される電話番号を受信する電話番号受信処理をさらに含む、プログラム。
【請求項９】
請求項７に記載のプログラムまたは請求項８に記載のプログラムを記録してあるコンピュータ読み取り可能な記録媒体。
【発明の詳細な説明】
【技術分野】
【０００１】
本発明は、電子メールサーバシステム、電子メール配信システム、電子メール配信方法、プログラムおよび記録媒体に関し、特には、迷惑メールを少なくすることが可能な電子メールサーバシステム、電子メール配信システム、電子メール配信方法、プログラムおよび記録媒体に関する。
【背景技術】
【０００２】
近年、電子メールを受信できる携帯電話機（以下「携帯電話機」と称する。）の普及に伴い、電子メールサーバが、携帯電話機のユーザが望まない電子メール（以下「迷惑メール」と称する。）を携帯電話機に送信してしまうという状況が多く発生するようになった。
【０００３】
迷惑メールの増大により、携帯電話機に対する迷惑メールの送信を防止することが可能な電子メールサーバが望まれるようになり、現在、迷惑メール対策が施された電子メールサーバが実用化されている。
【０００４】
図５は、迷惑メール対策が施された電子メールサーバを有する従来の電子メール配信システムを示したブロック図である。
【０００５】
図５において、従来の電子メール配信システムは、電子メールを送信することが可能なメール送信端末５１と、メール送信端末５１用のメールサーバ５２と、電子メールを受信することが可能な携帯電話機５３と、携帯電話機５３用のメールサーバ５４とを含む。例えば、メールサーバ５２は通信業者ａ５５によって管理され、メールサーバ５４は通信業者ｂ５６によって管理される。
【０００６】
メールサーバ５４は、データベース５４ａを備える。データベース５４ａには、携帯電話機５３のユーザによって設定された迷惑メール判断条件が記録されている。迷惑メール判断条件としては、例えば、携帯電話機５３が受信を拒否する送り手のメールアドレスが用いられている。
【０００７】
例えば、送付先のメールアドレスとして携帯電話機５３のメールアドレスを指定した電子メールがメール送信端末５１から送信されると、メールサーバ５２は、メール送信端末５１から送信された電子メールをメールサーバ５４に送信する。
【０００８】
メールサーバ５４は、メール送信端末５１からメールサーバ５２を介して送信された電子メールからメール送信端末５１のメールアドレスを検出する。
【０００９】
メールサーバ５４は、検出したメールアドレスが、データベース５４ａに記録されている携帯電話機５１が受信を拒否していないメールアドレスである場合、メール送信端末５１からメールサーバ５２を介して送信された電子メールを携帯電話機５３に送信する。
【００１０】
一方、検出したメールアドレスが、データベース５４ａに記録されている携帯電話機５１が受信を拒否しているメールアドレスである場合、メールサーバ５４は、メール送信端末５１からメールサーバ５２を介して送信された電子メールを携帯電話機５３に送信しない。
【００１１】
また、特許文献１（特開２００２−２８１０９１号公報）には、図５に示したデータベース５４ａに記録される迷惑メール判断条件として、携帯電話機５３が受信を拒否する送り手のメールアドレスに加え、電子メールに含まれる所定のキーワードが設定可能なメールサーバシステムが記載されている。特許文献１に記載のメールサーバシステムによれば、携帯電話機のユーザは、ユーザ自身が設定した所定のキーワードを含む電子メールの受信を拒否することが可能となる。
【００１２】
また、特許文献２（特開２００３−２２４６０５号公報）には、携帯電話機のユーザによって設定された、携帯電話機のメールアドレスと所定の文字列との対が格納され、受信した電子メールから抽出したメールアドレスと文字列との対が、ユーザによって設定された携帯電話機のメールアドレスと文字列との対に一致した場合にのみ、受信した電子メールを携帯電話機に送信するメールサーバが記載されている。
【特許文献１】特開２００２−２８１０９１号公報
【特許文献２】特開２００３−２２４６０５号公報
【発明の開示】
【発明が解決しようとする課題】
【００１３】
しかしながら、図５に示したような電子メール配信システムでは、例えば、迷惑メールの送り手のアドレスが変更されてしまうと、迷惑メールが携帯電話機に届いてしまう。
【００１４】
また、特許文献１に記載のメールサーバおよび特許文献２に記載されたメールサーバでは、迷惑メールを受信することによって被害を受ける受信者自身しか、受信を拒否する電子メールを特定するための条件をメールサーバに登録できない。したがって、必ず、受信者自身が、受信を拒否する電子メールを特定するための条件をメールサーバに登録するという煩わしい作業を行わなければならなかった。
【００１５】
本発明の目的は、携帯電話機のユーザ自身が、受信を拒否する電子メールを特定するための条件をメールサーバに登録するという煩わしい作業を行わなくても、携帯電話機が迷惑メールを受信する頻度を低くすることが可能な電子メールサーバ、電子メール配信システム、電子メール配信方法、プログラムおよび記録媒体を提供することである。
【課題を解決するための手段】
【００１６】
上記の目的を達成するために、本発明の電子メールサーバシステムは、携帯電話機のメールアドレスを送信先とする電子メールを該携帯電話機へ配信する電子メールサーバシステムであって、前記携帯電話機のメールアドレスと該携帯電話機の電話番号とを関連づけて記録する記録部と、前記携帯電話機のメールアドレスを送信先とする電子メールおよび該電子メールの送信元から送信される電話番号とを受信する受信部と、前記電子メールの送信先である携帯電話機のメールアドレスと前記受信部によって受信された電話番号とが、前記記録部において関連づけられている場合にのみ、前記電子メールを前記携帯電話機に送信する電子メール送信部とを含む。
【００１７】
また、本発明の電子メール配信方法は、携帯電話機のメールアドレスを送信先とする電子メールを該携帯電話機へ配信する電子メールサーバシステムが行う電子メール配信方法であって、前記携帯電話機のメールアドレスと該携帯電話機の電話番号とを関連づけて記録部に記録する記録ステップと、前記携帯電話機のメールアドレスを送信先とする電子メールおよび該電子メールの送信元から送信される電話番号とを受信する受信ステップと、前記受信ステップで受信した電子メールの送信先である携帯電話機のメールアドレスと前記受信ステップで受信した電話番号とが、前記記録部において関連づけられている場合にのみ、前記電子メールを前記携帯電話機に送信する電子メール送信部とを含む。
【００１８】
上記の発明によれば、電子メールの送信元から送信される、送信先としての携帯電話機のメールアドレスおよび電話番号とが、記録部において関連づけられている場合にのみ、受信した電子メールを送信先としての携帯電話機に送信する。このため、電子メールを携帯電話機に送信しようとする送信側は、携帯電話機のメールアドレスおよびその携帯電話機の電話番号とを知っていなければ、電子メールを携帯電話機に送信できなくなる。
【００１９】
一般に、携帯電話機のメールアドレスから携帯電話機の電話番号を推測することおよび携帯電話機の電話番号から携帯電話機のメールアドレスを推測することは困難である。したがって、不特定多数の携帯電話機に迷惑メールを送信しようとする者は、携帯電話機のメールアドレスおよび当該携帯電話機の電話番号とを知ることが困難となり、不特定多数の携帯電話機に迷惑メールを送信できなくなる。
【００２０】
また、携帯電話機のメールアドレスおよび当該携帯電話機の電話番号とは、携帯電話機の運営者側で管理されているので、携帯電話機の運営者側が、携帯電話機のメールアドレスと当該携帯電話機の電話番号とを関連づけて記録部に記録することが可能となる。このため、携帯電話機のユーザが、携帯電話機のメールアドレスと当該携帯電話機の電話番号とを関連づけて記録部に記録する作業を行わなくても済むようになる。したがって、携帯電話機のユーザが、迷惑メールの受信を拒否するための条件を設定するという煩わしい作業を行う必要性が低くなる。
【００２１】
また、上記電子メールサーバシステムにおいて、前記受信部が前記電子メールとして前記携帯電話機のメールアドレスを送信先としかつ送信元のメールアドレスを含む電子メールを受信した際に、該受信部によって受信された電子メールから前記送信元のメールアドレスを検出する検出部と、前記検出部によって検出された送信元のメールアドレスに、前記送信先とされた携帯電話機の電話番号を要求する旨の電話番号要求情報を送信する送信部とをさらに含み、前記受信部が、前記送信元のメールアドレスから送信される電話番号を受信することが望ましい。
【００２２】
また、上記電子メール配信方法において、前記受信ステップは、前記電子メールとして前記携帯電話機のメールアドレスを送信先としかつ送信元のメールアドレスを含む電子メールを受信する電子メール受信ステップを含み、前記電子メール受信ステップで受信された電子メールから前記送信元のメールアドレスを検出する検出ステップと、前記検出ステップで検出された送信元のメールアドレスに、前記送信先とされた携帯電話機の電話番号を要求する旨の電話番号要求情報を送信する送信ステップとをさらに含み、前記受信ステップは、前記送信元のメールアドレスから送信される電話番号を受信する電話番号受信ステップをさらに含むことが望ましい。
【００２３】
上記の発明によれば、送信元のメールアドレスに、前記送信先とされた携帯電話機の電話番号を要求する旨の電話番号要求情報を送信する。送信側は、電話番号要求情報に応じて、携帯電話機の電話番号を送信することができる。このため、送信側が携帯電話機の電話番号を送信し忘れることによって、電子メールが送信先に届かなくなるという不都合を少なくすることが可能となる。
【００２４】
また、本発明の電子メール配信システムは、携帯電話機と、前記携帯電話機を送信先とした電子メールおよび電話番号を送信する送信者端末と、上記電子メールサーバシステムとを含む、。
【００２５】
また、本発明の電子メール配信方法は、携帯電話機と、前記携帯電話機を送信先とした電子メールおよび電話番号を送信する送信者端末と、前記電子メールを前記携帯電話機へ配信する電子メールサーバシステムとを含む電子メール配信システムが行う電子メール配信方法であって、前記電子メール配信システムが上記電子メール配信方法を行う。
【００２６】
上記の発明によれば、電子メール配信システムにおいて、上記と同様の効果を奏することが可能となる。
【００２７】
また、本発明のプログラムは、携帯電話機のメールアドレスを送信先とする電子メールを該携帯電話機へ配信する配信処理をコンピュータに実行させるプログラムであって、前記携帯電話機のメールアドレスと該携帯電話機の電話番号とを関連づけて記録部に記録する記録処理と、前記携帯電話機のメールアドレスを送信先とする電子メールおよび該電子メールの送信元から送信される電話番号とを受信する受信処理と、前記受信処理で受信した電子メールの送信先である携帯電話機のメールアドレスと前記受信処理で受信した電話番号とが、前記記録部において関連づけられている場合にのみ、前記電子メールを前記携帯電話機に送信する電子メール送信処理とを含む配信処理をコンピュータに実行させる。
【００２８】
また、上記プログラムにおいて、前記受信処理は、前記電子メールとして前記携帯電話機のメールアドレスを送信先としかつ送信元のメールアドレスを含む電子メールを受信する電子メール受信処理を含み、前記電子メール受信処理で受信された電子メールから前記送信元のメールアドレスを検出する検出処理と、前記検出処理で検出された送信元のメールアドレスに、前記送信先とされた携帯電話機の電話番号を要求する旨の電話番号要求情報を送信する送信処理とをさらに含み、前記受信処理は、前記送信元のメールアドレスから送信される電話番号を受信する電話番号受信処理をさらに含む。
【００２９】
また、本発明の記録媒体は、上記プログラムを記録してあるコンピュータ読み取り可能な記録媒体である。
【００３０】
本発明のプログラムおよび本発明の記録媒体によれば、上記電子メール配信方法をコンピュータに実行させることが可能になる。
【発明の効果】
【００３１】
本発明によれば、電子メールの送信元から送信される、送信先としての携帯電話機のメールアドレスおよび電話番号とが、記録部において関連づけられている場合にのみ、受信した電子メールを送信先としての携帯電話機のメールアドレスに送信する。このため、電子メールを携帯電話機に送信する送信側は、携帯電話機のメールアドレスおよび電話番号とを知っていなければ、電子メールを携帯電話機に送信できなくなる。
【００３２】
一般に、携帯電話機のメールアドレスから携帯電話機の電話番号を推測することおよび携帯電話機の電話番号から携帯電話機のメールアドレスを推測することは困難である。したがって、本発明によれば、不特定多数の携帯電話機に迷惑メールを送信しようとする者は、携帯電話機のメールアドレスおよび当該携帯電話機の電話番号とを知ることが困難であり、不特定多数の携帯電話機に迷惑メールを送信できなくなる。
【００３３】
また、携帯電話機のメールアドレスおよび当該携帯電話機の電話番号とは、携帯電話機の運営者側で管理されているので、携帯電話機の運営者側が、携帯電話機のメールアドレスと当該携帯電話機の電話番号とを関連づけて記録部に記録することが可能となる。このため、携帯電話機のユーザが、携帯電話機のメールアドレスと当該携帯電話機の電話番号とを関連づけて記録部に記録する作業を行わなくても済むようになる。したがって、携帯電話機のユーザが、迷惑メールの受信を拒否するための条件を設定するという煩わしい作業を行う必要性が低くなる。
【発明を実施するための最良の形態】
【００３４】
以下、本発明の一実施例を図面を参照して説明する。
【００３５】
図１は、本発明の一実施例の電子メール配信システムを示したブロック図である。
【００３６】
図１において、電子メール配信システムは、メール送信端末１と、メール送信端末１用のメールサーバ２と、電子メールを送信および受信することが可能な携帯電話機３と、電子メールサーバシステム４とを含む。電子メールサーバシステム４は、データベース５および携帯電話機３用のメールサーバ６とを含む。
【００３７】
メール送信端末１は、電子メールを送信および受信することが可能である。メールサーバ２は、メール送信端末１から送信された電子メールを受信し、受信した電子メールを、電子メールの送信先メールアドレスによって特定されるメールサーバに送信する。メールサーバ２は、例えば、通信業者ａ７によって管理される。
【００３８】
携帯電話機３は、自己（携帯電話機３）のメールアドレスおよび自己（携帯電話機３）の電話番号とが割り当てられている。
【００３９】
本発明の一実施例の電子メールサーバシステム４は、携帯電話機３に割り当てられたメールアドレスを送信先として有する電子メールを携帯電話機３に配信する。電子メールサーバシステム４は、通信業者ｂ８によって管理される。
【００４０】
記録部としてのデータベース５は、迷惑メール対策用として使用される情報を記録する。具体的には、データベース５は、携帯電話機３のメールアドレスと携帯電話機３の電話番号とを関連づけて記録する。
【００４１】
図２は、データベース５に関連づけて記録された、携帯電話機のメールアドレス５ａと携帯電話機の電話番号５ｂとの一例を示した説明図である。図２に示した例では、メールサーバ６によって管理される携帯電話機ごとに、携帯電話機のメールアドレス５ａと携帯電話機の電話番号５ｂとが関連づけられている。
【００４２】
図１に戻って、通信業者ｂ８は、携帯電話機３のメールアドレスと携帯電話機３の電話番号とを管理している。したがって、携帯電話機３のメールアドレスと携帯電話機３の電話番号とを関連づけてデータベース５に記録する作業は、携帯電話機３のユーザではなく、通信業者ｂ８側（例えば、メールサーバ６）によって行われることが可能となる。
【００４３】
本実施例では、迷惑メール対策用として使用される情報として、携帯電話機３のメールアドレスと携帯電話機３の電話番号との組み合わせを用いることによって、迷惑メール対策用として使用される情報を、携帯電話機３のユーザだけでなく、通信業者ｂ８側（例えば、メールサーバ６）からも設定することが可能となる。よって、迷惑メール対策用として使用される情報を設定する際の携帯電話機３のユーザの負担を、可及的に少なくする、または無くすことが可能となる。
【００４４】
メールサーバ６は、メモリ６１とＣＰＵ６２とを含み、携帯電話機３に電子メールを配信する。なお、メールサーバ６が、データベース５を含むようにしてもよい。
【００４５】
メモリ６１は、コンピュータによって読み取り可能な記録媒体である。メモリ６１には、メールサーバ６の動作を規定するプログラム６１ａが記録されている。
【００４６】
コンピュータとしてのＣＰＵ６２は、メモリ６１に記録されているプログラム６１ａを読み取り、読み取ったプログラム６１ａにしたがって種々の処理を実行する。なお、以下では、ＣＰＵ６２がプログラム６１ａを実行することによって実現される機能をメールサーバ６が有する機能として説明する。
【００４７】
図３は、メールサーバ６が有する機能の一例を示した機能ブロック図である。図３において、図１に示したものと同一構成のものには同一符号を付してある。
【００４８】
図３において、メールサーバ６は、送信部および受信部としての送受信部６ａと、検出部６ｂと、電子メール送信部としての制御部６ｃとを含む。なお、送受信部６ａと、検出部６ｂと、制御部６ｃとは、図１に示したメールサーバ６のＣＰＵ６２がメールサーバ６のメモリ６１に記録されたプログラム６１ａを実行することによって実現される。
【００４９】
送受信部６ａは、携帯電話機３のメールアドレスを送信先とする電子メールと、この電子メールの送信元から送信される電話番号とを受信する。
【００５０】
制御部６ｃは、送受信部６ａによって受信された、電子メールの送信先である携帯電話機３のメールアドレスおよび電話番号とが、データベース５において関連づけられている場合にのみ、送受信部６ａによって受信された電子メールを携帯電話機３に送信する。
【００５１】
例えば、送受信部６ａは、携帯電話機３のメールアドレスを送信先としかつ送信元のメールアドレスを含む電子メールを受信する。
【００５２】
検出部６ｂは、送受信部６ａが、携帯電話機３のメールアドレスを送信先としかつ送信元のメールアドレスを含む電子メールを受信した際に、送受信部６ａによって受信された電子メールから送信元のメールアドレスを検出する。
【００５３】
制御部６ｃは、検出部６ｂによって検出された送信元のメールアドレスに、送信先とされた携帯電話機３の電話番号を要求する旨の電話番号要求情報を送受信部６ａから送信させる。送受信部６ａは、送信元のメールアドレスから送信される電話番号を受信する。
【００５４】
制御部６ｃは、送受信部６ａによって受信された電子メールの送信先である携帯電話機３のメールアドレスと送受信部６ａによって受信された電話番号とが、データベース５において関連づけられているか否かを判定する。
【００５５】
制御部６ｃは、送受信部６ａによって受信された電子メールの送信先である携帯電話機３のメールアドレスと送受信部６ａによって受信された電話番号とが、データベース５において関連づけられている場合にのみ、送受信部６ａによって受信された電子メールを携帯電話機３に送信する。
【００５６】
次に、動作を説明する。
【００５７】
図４は、電子メール配信システムの動作を説明するためのフローチャートである。以下、図４を参照して電子メール配信システムの動作を説明する。
【００５８】
通信業者ｂ８側（例えば、メールサーバ６）は、通信業者ｂ８が管理している携帯電話機ごとに携帯電話機３のメールアドレスと携帯電話機３の電話番号とを関連づけてデータベース５に記録する。
【００５９】
メール送信端末１から、送信先として携帯電話機３のメールアドレスが指定された電子メールが送信されると（ステップ４１)、メールサーバ２は、メール送信端末１から送信された電子メールをメールサーバ６に送信する（ステップ４２）。なお、メール送信端末１から送信された電子メールは、送信元であるメール送信端末１のメールアドレスを含む。
【００６０】
メールサーバ６の送受信部６ａは、メールサーバ２から送信された電子メールを受信する。
【００６１】
検出部６ｂは、送受信部６ａが携帯電話機３のメールアドレスを送信先としかつ送信元のメールアドレスを含む電子メールを受信すると、送受信部６ａによって受信された電子メールから送信元のメールアドレス（具体的には、メール送信端末１）を検出する。
【００６２】
制御部６ｃは、検出部６ｂによって検出された送信元のメールアドレス（具体的には、メール送信端末１）に、送信先とされた携帯電話機３の電話番号を要求する旨の電話番号要求情報を送受信部６ａから送信させる。
【００６３】
送受信部６ａは、メールサーバ２を経由してメール送信端末１に電話番号要求情報を送信することによって、メール送信端末１に電子メールの送信先である携帯電話機３の電話番号を要求する（ステップ４３）。
【００６４】
メール送信端末１を使用している電子メール発信者は、メール送信端末１を操作して、電子メールの送信先である携帯電話機３の電話番号をメール送信端末１に入力する。
【００６５】
メール送信端末１は、入力された電話番号を、メールサーバ２を介してメールサーバ６に通知する（ステップ４４）。
【００６６】
送受信部６ａは、送信元のメールアドレス（具体的には、メール送信端末１）から送信される電話番号を受信する。
【００６７】
制御部６ｃは、送受信部６ａによって受信された電子メールの送信先である携帯電話機３のメールアドレスと送受信部６ｂによって受信された電話番号とが、データベース５において関連づけられているか否かを確認する（ステップ４５）。
【００６８】
ステップ４５において、送受信部６ａによって受信された電子メールの送信先である携帯電話機３のメールアドレスと送受信部６ｂによって受信された電話番号とが、データベース５において関連づけられている場合、制御部６ｃは、送受信部６ａによって受信された電子メールを携帯電話機３のメールアドレスに送信する（ステップ４６）。
【００６９】
ステップ４５において、送受信部６ａによって受信された電子メールの送信先である携帯電話機３のメールアドレスと送受信部６ｂによって受信された電話番号とが、データベース５において関連づけられていない場合、制御部６ｃは、検出部６ｂによって検出された送信元のメールアドレスに、送信先とされた携帯電話機３の電話番号を要求する旨の電話番号要求情報を送受信部６ａから再び送信させる。
【００７０】
送受信部６ａは、メールサーバ２を経由してメール送信端末１に電話番号要求情報を再び送信することによって、メール送信端末１に電子メールの送信先である携帯電話機３の電話番号を再要求する（ステップ４７）。
【００７１】
メール送信端末１を所有する電子メール発信者は、メール送信端末１を操作して、電子メールの送付先である携帯電話機３の電話番号をメール送信端末１に入力する。
【００７２】
メール送信端末１は、入力された電話番号を、メールサーバ２を介してメールサーバ６に通知する。
【００７３】
送受信部６ａは、送信元のメールアドレス（具体的には、メール送信端末１）から送信される電話番号を新たに受信する。
【００７４】
制御部６ｃは、送受信部６ａによって受信された電子メールの送信先である携帯電話機３のメールアドレスと送受信部６ｂによって新たに受信された電話番号とが、データベース５において関連づけられているか否かを確認する（ステップ４８）。
【００７５】
ステップ４８において、送受信部６ａによって受信された電子メールの送信先である携帯電話機３のメールアドレスと送受信部６ｂによって新たに受信された電話番号とが、データベース５において関連づけられている場合、制御部６ｃは、送受信部６ａによって受信された電子メールを携帯電話機３のメールアドレスに送信する（ステップ４６）。
【００７６】
ステップ４８において、送受信部６ａによって受信された電子メールの送信先である携帯電話機３のメールアドレスと送受信部６ｂによって新たに受信された電話番号とが、データベース５において関連づけられていない場合、制御部６ｃは、電子メール送信者はメ電子メール受信者を特定できないと判断し、送受信部６ａによって受信された電子メールを携帯電話機３に送信せずに（ステップ４９)、動作を終了する。
【００７７】
本実施例によれば、電子メール送信者が電子メール受信者を特定できない場合には、電子メール受信者に電子メールを送信することができなくなる。不特定多数の携帯電話機に電子メールを送信しようとする迷惑メールの送信者は、電子メール受信者を特定できないので、不特定多数の携帯電話機に電子メールを送信しようとする迷惑メールを防止することが可能となる。
【００７８】
具体的には、電子メールの送信元から送信される、送信先としての携帯電話機のメールアドレスおよび電話番号とが、データベース５において関連づけられている場合にのみ、受信した電子メールを送信先としての携帯電話機のメールアドレスに送信する。このため、電子メールを携帯電話機に送信する送信側は、携帯電話機のメールアドレスおよび電話番号とを知っていなければ、電子メールを携帯電話機に送信できなくなる。
【００７９】
一般に、携帯電話機のメールアドレスから携帯電話機の電話番号を推測することおよび携帯電話機の電話番号から携帯電話機のメールアドレスを推測することは困難である。したがって、不特定多数の携帯電話機に迷惑メールを送信しようとする者は、携帯電話機のメールアドレスおよび当該携帯電話機の電話番号とを知ることが困難であり、不特定多数の携帯電話機に迷惑メールを送信できなくなる。
【００８０】
また、携帯電話機のメールアドレスおよび当該携帯電話機の電話番号とは、携帯電話機の運営者側で管理されているので、携帯電話機の運営者側が、携帯電話機のメールアドレスと当該携帯電話機の電話番号とを関連づけてデータベース５に記録することが可能となる。このため、携帯電話機のユーザが、携帯電話機のメールアドレスと当該携帯電話機の電話番号とを関連づけてデータベース５に記録する作業を行わなくても済むようになる。
【００８１】
したがって、携帯電話機のユーザが、迷惑メールの受信を拒否するために、携帯電話機のメールアドレスと当該携帯電話機の電話番号とを関連づけてデータベース５に記録するという煩わしい作業を行う必要性が低くなる。
【００８２】
また、本実施例によれば、送信元のメールアドレスに、送信先とされた携帯電話機の電話番号を要求する旨の電話番号要求情報を送信する。送信側は、電話番号要求情報に応じて、携帯電話機の電話番号を送信することができる。このため、送信側が携帯電話機の電話番号を送信し忘れることによって、電子メールが送信先に届かなくなるという不都合を少なくすることが可能となる。
【００８３】
以上説明した実施例において、図示した構成は単なる一例であって、本発明はその構成に限定されるものではない。
【００８４】
例えば、送信側が、携帯電話機のメールアドレスを送信先とする電子メールと電話番号とを同時に送信するようにしてもよい。
【図面の簡単な説明】
【００８５】
【図１】本発明の一実施例の電子メール配信システムを示したブロック図である。
【図２】図１に示したデータベース５に記録される情報の一例を示した説明図である。
【図３】図１に示した電子メール配信システムの一例を示したブロック図である。
【図４】図３に示した電子メール配信システムの動作を説明するためのフローチャートである。
【図５】従来の電子メール配信システムの一例を示したブロック図である。
【符号の説明】
【００８６】
１      メール送信端末
２      メールサーバ
３      携帯電話機
４      電子メールサーバシステム
５      データベース
６      メールサーバ
６１    メモリ
６２    ＣＰＵ
６ａ    送受信部
６ｂ    検出部
６ｃ    制御部
【図１】
2005217739.tif 000003
【図２】
2005217739.tif 000004
【図３】
2005217739.tif 000005
【図４】
2005217739.tif 000006
【図５】
2005217739.tif 000007